(57)【要約】【課題】  プレート子機の組み立てを容易に行うことができると共に、組み立て部品点数を削減したナースコール装置のプレート子機組立構造を提供する。【解決手段】  パネル下２の下部に突片１１を設けると共に、取付金具１の下端に突片１１に係合する係合溝８を設け、パネル下２に取付金具１の下部を保持可能とした。パネル下２の上部と取付金具１上端とはビス止め構造として、パネル下２に取付金具１をスライド挿入して下部を保持させた後、取付金具１にパネル下２上部をビス１６によりビス止めした。【選択図】  図１
2006269372.tif 000002
【特許請求の範囲】
【請求項１】
患者或いは看護師が操作する操作ユニットと、前記操作ユニットが取り付けられる取付金具と、前記取付金具の周囲を覆って壁面との隙間を覆い隠すパネル下と、前記パネル下及び前記取付金具を覆うパネル上とで構成されるナースコール装置のプレート子機組立構造であって、
前記パネル下及び前記取付金具の何れか一方にパネル面方向に突出させた突片を設けると共に、他方に前記突片に係合する係合溝を設け、パネル面方向のスライド操作により前記パネル下に前記取付金具を保持可能としたこと特徴とするナースコール装置のプレート子機組立構造。
【請求項２】
前記パネル下は、前記取付金具の差込量を規定するストッパを備えて成ることを特徴とする請求項１記載のナースコール装置のプレート子機組立構造。
【請求項３】
前記突片と前記係合溝は、前記パネル下及び前記取付金具の上部及び下部のうち何れか一方に設けて成ることを特徴とする請求項１又は２記載のナースコール装置のプレート子機組立構造。
【請求項４】
前記パネル下は、取り付けた取付金具の左右方向のズレを防止する為のリブを有することを特徴とする請求項１乃至３の何れかに記載のナースコール装置のプレート子機組立構造。
【請求項５】
前記パネル下の下部及び前記取付金具の下部の何れか一方に前記突片を設け、他方に前記係合溝を設ける一方、前記パネル下の上部及び前記取付金具の上部の何れか一方に、パネル面に直交する方向に弾性突起を設け、他方に前記弾性突起を挿入係止する係止孔を設け、
前記パネル下に前記取付金具をスライド挿入して前記パネル下に前記取付金具を保持可能とし、双方の上部の一方を他方に押圧操作して前記弾性突起を前記係止孔に挿入して前記パネル下に前記取付金具を保持可能としたことを特徴とする請求項１乃至４の何れかに記載のナースコール装置のプレート子機組立構造。
【発明の詳細な説明】
【技術分野】
【０００１】
本発明は、ナースコール装置において病室内に設置されるプレート子機の組立構造に関する。
【背景技術】
【０００２】
ナースコール装置は、ベッド毎に看護師を呼び出すためのナースコール子機が設置され、ナースステーションにその呼び出しに応答するためのナースコール親機が設置されて構成されている。そして、ナースコール子機は、呼出ボタンと、呼出ボタンを接続すると共に復旧ボタン等を有する操作ユニットを備えたプレート子機とから構成され、プレート子機は壁面に設置されている。このようなプレート子機は、通常壁面に埋め込まれたスイッチボックスを利用して設置され、廊下灯から配設された配線をスイッチボックス内で接続し、また厚みのあるプレート子機を構成する操作ユニットをスイッチボックスに収容させてプレート子機の突出量を小さくしている。
このように取り付けられるプレート子機は、操作ユニットをスイッチボックスに装着するための取付金具と、取り付けた取付金具と壁面の間の隙間を覆い隠すためのパネル下と、取付金具の前面を覆うパネル上とで構成され、パネル下は取付金具に上下部位でビス止め固定されていた（例えば、特許文献１参照）。
【特許文献１】実開平５−９２９２８号公報
【発明の開示】
【発明が解決しようとする課題】
【０００３】
上述するように、従来のプレート子機の組み立て構造では、パネル下と取付金具とを上下部位でビス止めしているため、作業効率が悪く組み立て部品も多くなっていた。
そこで、本発明はこのような問題点に鑑み、プレート子機の組み立てを容易に行うことができると共に、組み立て部品点数を削減したナースコール装置のプレート子機組立構造を提供することを目的としている。
【課題を解決するための手段】
【０００４】
上記課題を解決する為に、請求項１の発明は、患者或いは看護師が操作する操作ユニットと、操作ユニットが取り付けられる取付金具と、取付金具の周囲を覆って壁面との隙間を覆い隠すパネル下と、パネル下及び取付金具を覆うパネル上とで構成されるナースコール装置のプレート子機組立構造であって、パネル下及び取付金具の何れか一方にパネル面方向に突出させた突片を設けると共に、他方に突片に係合する係合溝を設け、パネル面方向のスライド操作によりパネル下に取付金具を保持可能としたこと特徴とする。
この構成により、スライド操作だけでパネル下に取付金具を保持させることができる。そのため、ビスを用いずに簡易な操作で保持させることができ、組立性が向上するし、部品点数を削減できる。
【０００５】
請求項２の発明は、請求項１に記載の発明において、パネル下は、取付金具の差込量を規定するストッパを備えて成ることを特徴とする。
この構成により、スライド挿入操作しても挿入しすぎる事が無いし、位置合わせを容易に実施できる。
【０００６】
請求項３の発明は、請求項１又は２に記載の発明において、突片と係合溝は、パネル下及び取付金具の上部及び下部のうち何れか一方に設けて成ることを特徴とする。
この構成により、突片及び係合溝を一端のみに設けるので、他方をビス止めする形態であっても、一端を保持させた状態でビス止めでき、製品の組み立てが簡単である。
【０００７】
請求項４の発明は、請求項１乃至３の何れかに記載の発明において、パネル下は、取り付けた取付金具の左右方向のズレを防止する為のリブを有することを特徴とする。
この構成により、パネル下と取付金具との左右方向の位置合わせ精度が向上する。
【０００８】
請求項５の発明は、請求項１乃至４の何れかに記載の発明において、パネル下の下部及び取付金具の下部の何れか一方に突片を設け、他方に係合溝を設ける一方、パネル下の上部及び取付金具の上部の何れか一方に、パネル面に直交する方向に弾性突起を設け、他方に弾性突起を挿入係止する係止孔を設け、パネル下に取付金具をスライド挿入してパネル下に取付金具を保持可能とし、双方の上部の一方を他方に押圧操作して弾性突起を係止孔に挿入してパネル下に取付金具を保持可能としたことを特徴とする。
この構成により、上方からのスライド操作で下部を保持させた後、押圧操作で上部を固定するので、取付金具の重量を受け止めた状態で上部の固定操作ができ、上下部位をビスを使用することなく固定でき、組立性が向上するし、部品点数を削減できる。
【発明の効果】
【０００９】
本発明によれば、突片と係合溝を設けることで、差し込み操作だけでパネル下に取付金具を保持させることができ、簡易な操作でまたビスを用いずに保持させることができ組立性が向上する。また、弾性突起とその係止孔を、突片、係合溝と合わせて設けることで、ビスを全く使用することなくパネル下と取付金具を連結でき、更に組立性が向上する。
【発明を実施するための最良の形態】
【００１０】
以下、本発明を具体化した実施の形態を、図面に基づいて詳細に説明する。図１〜４は、本発明に係るナースコール装置のプレート子機組立構造の第１の実施形態を示し、図１は要部斜視図、図２はパネル下の正面図及び背面図、図３は取付金具に操作ユニット及びパネル下を組み付けた正面図及び背面図、図４はパネル上を組み付けた完成状態の正面図を示している。図において、１は壁面に取り付けられる取付金具、２は取付金具１の周囲を覆って壁面との隙間を覆い隠すパネル下、３はパネル下２及び取付金具１を覆うパネル上、４は呼出ボタン接続部を有し、患者或いは看護師が操作する操作ユニットである。
【００１１】
取付金具１は、壁面に埋設されたスイッチボックス（図示せず）に取り付けられ、操作ユニット４を壁面に組み付けるための部材で、操作ユニット４を取り付けるための四角形開口部６が一対設けられ、その上下辺にスイッチボックスにビス止めするための長孔７が上下に一対ずつ設けられている。そして、下方の長孔７に隣接する下端部は前方に膨出させた突起部が形成され、背部空間を利用してパネル面方向に形成した係合溝８を有し、パネル下１との係合部を形成している。一方、上端にも同様に前方に膨出形成した突起部が形成され、その突起面にビス螺入孔９が形成されている。尚、パネル面とは、パネル下２及びパネル上３が形成する面であり、壁面にプレート子機を設置した際には、壁面に平行な面となる。
【００１２】
パネル下２は、合成樹脂により枠状に形成され、下辺には内部のパネル面方向に向けて（図示上方に向けて）舌状の突片１１が一対設けられ、取付金具１の係合溝８と係合可能となっている。また、パネル下２の突片１１の左右には、取付金具１を挟持するために突片１１と対を成すように形成された係合壁１２が設けられている。
一方、パネル下２の上辺には、取付金具１のビス螺入孔９に対応した一対のビス挿通孔１３が形成されている。
【００１３】
また、図２（ｂ）のパネル下背面図に示すように、突片１１基部の左右には、取付金具１の差込量を規定するストッパ１４が突設され、更にパネル下２の４隅には取付金具１の左右方向の位置決めのためのリブ１５が形成されている。
【００１４】
このように構成されたプレート子機の組み立て手順を次に説明する。まず、取付金具１に操作ユニット４を取り付ける。操作ユニット４は、取付金具１の開口部６に係止する図示しない係止片を有し、挿入操作することで係止固定される。
【００１５】
そして、取付金具１をパネル下２に装着する。図１に示すように、パネル下２の背部に取付金具１を配置し、取付金具１を上方からスライド挿入してパネル下２の下辺に設けた突片１１を取付金具１の係合溝８に差し込む。こうして取付金具１の下部は、突片１１と係合壁１２により挟持され、保持固定される。
このとき、取付金具１の差込量はストッパ１４により規定され、常に一定量で差し込まれる。また、パネル下２の４隅に設けられたリブ１５により、差し込み保持された取付金具１の左右方向のズレは防止される。
【００１６】
下部を保持した後、パネル下２の上部に、取付金具１上端を連結する。上部はビス１６により固定される。ビス１６は、図１に示すように前方からパネル下２のビス挿通孔１３を介して取付金具１のビス螺入孔９に螺入される。こうして、取付金具１にパネル下２は取り付けられる。
【００１７】
パネル下２、操作ユニット４を組み付けた取付金具１は、壁面に取り付けられる。壁面への取付は、壁面に埋設されたスイッチボックスに取付金具１の長孔７を利用してビス止めされて成される。そして、最後にパネル上３がパネル下２に重ね合わせられるように前方から装着され、図４の正面図に示すプレート子機を得る。
尚、パネル上３もパネル下２と同様に、合成樹脂により作成され、パネル下２に係止する係止爪（図示せず）を有し、前方から押圧操作することで、パネル下２に係止し装着される。また、壁面に取り付ける際、スイッチボックス内の配線コードが操作ユニット４の接続端子に接続される。
【００１８】
このように、パネル下に突片を設けて取付金具にその係合溝を設け、差し込み操作だけでパネル下に取付金具を保持させるので、ビスを用いずに簡易な操作で保持させることができ、部品点数を削減でき組立性が向上する。
また、ストッパを有するので、挿入操作して保持させても挿入量を一定にでき挿入し過ぎる事が無いし、４隅に設けたリブによりパネル下と取付金具との左右方向の位置合わせ精度が向上する。
【００１９】
尚、この実施形態では、パネル下２に突片１１を設け、取付金具１にその係合溝８を設けているが、逆に形成して、取付金具１に突片１１を設けて、パネル下２にその係合溝８を設けても良い。また、突片１１と係合溝８によりパネル下２と取付金具１の下部を係合させ、上部をビス止めしているが、上部を突片１１と係合溝８により係合させて下部をビス止めしても良い。
更に、パネル下は合成樹脂で作成されることで、突片１１に適度な弾性を持たせることができ、係合壁１２と合わせて取付金具１を気密に挟持できるが、突片１１に積極的に弾性を持たせて、弾性力で取付金具１を挟持させても良い。
また、取付金具１にパネル下２を組み付けてから取付金具１を壁面に取り付けているが、壁面に取り付けた後にパネル下２を取付金具１に組み付けても良い。
【００２０】
図５は、本発明に係るナースコール装置のプレート子機組立構造の第２の実施形態を示している。図５（ａ）は要部斜視図、（ｂ）はＭ部の裏面拡大図を示している。上記第１の実施形態とは、取付金具１とパネル下２との上部連結構造が異なっている。
パネル下２の上辺には、図５（ｂ）に示すように、係止段部１８ａを有すると共に４分割されて径方向に弾性を有し、縮径動作する弾性突起１８がパネル面に直交する後方に向けて左右に一対設けられ、取付金具１の対応する部位には、弾性突起１８を挿入係止する係止孔１９が穿設されている。一方、パネル下２の下辺には、上記図１と同様に突片１１が設けられ、取付金具１には、係合溝８が設けられている。
【００２１】
このように、上部連結構造を弾性突起と係止孔とすることで、ビスを用いずに連結できる。従って、上方からのスライド操作で下部を固定した後、押圧操作で上部を固定できるので、取付金具の重量を受け止めた状態で上部の固定操作ができ、上下双方をビスを使用することなく固定でき、組立性が向上するし、部品点数を削減できる。
【００２２】
尚、上記実施形態は何れも、取付金具をパネル下背部からスライド挿入する構成となっているが、前方から差し込む構成とすることも容易に実施でき、例えば図５に示す弾性突起１８は前面側に設ければ良い。但し、この場合は取付金具１を壁面に取り付けてからパネル下２を取り付けることはできなくなる。
【図面の簡単な説明】
【００２３】
【図１】本発明に係るプレート子機組立構造の第１の実施形態を示す要部斜視図であり、パネル下と取付金具の分解斜視図である。
【図２】図１のパネル下を示し、（ａ）は正面図、（ｂ）は背面図である。
【図３】取付金具に、パネル下、操作ユニットを取り付けた状態を示し、（ａ）は正面図、（ｂ）は背面図である。
【図４】壁面に装着したプレート子機の正面図である。
【図５】本発明に係るプレート子機組立構造の第２の実施形態を示す要部斜視図である。
【符号の説明】
【００２４】
１・・取付金具、２・・パネル下、３・・パネル上、４・・操作ユニット、８・・係合溝、９・・ビス螺入孔、１１・・突片、１３・・ビス挿通孔、１４・・ストッパ、１５・・リブ、１６・・ビス、１８・・弾性突起、１９・・係止孔。
【図１】
2006269372.tif 000003
【図２】
2006269372.tif 000004
【図３】
2006269372.tif 000005
【図４】
2006269372.tif 000006
【図５】
2006269372.tif 000007